(57)【特許請求の範囲】
【請求項１】
複数のブレードを支持する支持板と、モータ側端板と、ベアリング側端板とを有するクロスフローファンの前記モータ側端板に振動の吸収と取付のためのゴムボスと取付軸を配設し、前記取付軸に螺合してモータ側へ移動すると共にモータ軸を挿入可能な内側軸を設け、前記内側軸のクロスフローファン側の端部にストッパーを設け、前記ストッパーが前記取付軸の端部に当接して前記内側軸のモータ側への移動を阻止してモータとモータ側端板とを所定の間隔に保持する構成としたクロスフローファン。
【請求項２】
複数のブレードを支持する支持板と、モータ側端板と、ベアリング側端板とを有するクロスフローファンの前記モータ側端板に振動の吸収と取付のためのゴムボスと取付軸を配設し、前記取付軸に螺合して、モータ側へ移動すると共にモータ軸を挿入可能な内側軸を設け、クロスフローファン側を細くしたテーパ形状部を有するモータ軸が前記内側軸に圧入してモータとモータ側端部とを所定の間隔に保持する構成としたクロスフローファン。
【請求項３】
内側軸をモータ側へ移動させてモータ軸との位置関係において確定した位置で、内側軸に設けた固定穴に取付けた固定ネジがモータ軸のテーパ形状部にモータ軸が角錐台形状になるように設けた溝部に嵌入して、内側軸とモータ軸とを一体に回転するようにした請求項２に記載のクロスフローファン。
【発明の詳細な説明】
【０００１】
【発明の属する技術分野】
本発明は、主として壁掛けおよび天井埋め込みタイプの空気調和機等に用いられるクロスフローファンに関するものである。
【０００２】
【従来の技術】
従来のクロスフローファンとしては、例えば実開平４−１１９３８６公報に示されているように、図４、図５、６図および図７に示されるような構成のものが知られていた。即ち、クロスフローファン２１は複数のブレード２２と、このブレード２２を支持する支持板２３およびモータ側端板２４ならびにベアリング側端板２５を超音波溶着等の手段で軸方向に連結して構成している。そして前記モータ側端板２４には、振動の吸収と取付のためのゴムボス２６と取付軸２７が配設されており、前記ベアリング側端板２５には、軸２８が配設されていて、駆動用のモータ２９のモータ軸３０に取付軸２７を固定ネジ３１により固定し、他方はベアリング３２で支持されクロスフローファン２１は回転する。
【０００３】
図７の（ａ）はモータ軸３０を固定するための固定ネジ３１をクロスフローファン２１の内側に、また図７の（ｂ）は駆動用のモータ２９のモータ軸３０に固定する固定ネジ３１をクロスフローファン２１の外側に設置した場合を示している。
【０００４】
【発明が解決しようとする課題】
しかし、このような構成のクロスフローファン２１とモータ２９との取り付け構成では、クロスフローファン２１をモータ２９のモータ軸３０から取り外す際、モータ軸３０を斜めにし振動の吸収と取付のためのゴムボス２６の弾性を利用して斜め方向に引き出さねばならない。これは、作業上きわめて不便であるとともにモータ軸３０およびクロスフローファン２１をも損傷させることになる。
【０００５】
そこで、本発明はクロスフローファンの取り外し時のクロスフローファンとモータ軸を損傷することなく、更に作業性を改善した取り付け構成を提供しようとするものである。
【０００６】
【課題を解決するための手段】
この問題を解決するために本発明の請求項１記載に係る発明は、複数のブレードを支持する支持板と、モータ側端板と、ベアリング側端板とを有するクロスフローファンの前記モータ側端板に振動の吸収と取付のためのゴムボスと取付軸とを配設し、前記取付軸に螺合してモータ側へ移動すると共にモータ軸を挿入可能な内側軸を設け、前記内側軸のクロスフローファン側の端部にストッパーを設け、前記ストッパーが前記取付軸の端部に当接して前記内側軸のモータ側への移動を阻止してモータとモータ側端部とを所定の間隔に保持する構成としたものである。また、請求項２記載に係る発明は、モータ軸にテーパ形状部を設け、これにより、内側軸のモータ側への過剰な移動を阻止してモータとモータ側端板とを所定の間隔に保持するものであり、請求項３記載に係る発明は、請求項２記載に係る発明のモータ軸のテーパ形状部にモータ軸が角錐台形状になるように溝部を設け、この溝部に内側軸に嵌入した固定ネジを当接する構成として内側軸を有するモータ側端板とモータ軸とを確実に一体として回転するようにしたものである。
【０００７】
従って、クロスフローファンがモータ軸を損傷することなく、クロスフローファンのモータ側端板をモータに対して所定の間隔をもって保持することができて、モータ側端板をモータ軸より取り外す時にモータ軸を斜めにこねる必要がなく内側板をモータ軸より離す方向に移動させることができ、その為、クロスフローファンやモータ軸を損傷することがない。
【０００８】
【発明の実施の形態】
本発明の目的は、各請求項に記載した構成を実施の形態とすることにより達成することができるので、以下には各請求項記載の構成に作用効果を併記して実施の形態の意義を説明することとする。
【０００９】
請求項１記載の発明は、複数のブレードを支持する支持板と、モータ側端板と、ベアリング側端板とを有するクロスフローファンの前記モータ側端板に振動の吸収と取付のためのゴムボスと取付軸を配設し、前記取付軸に螺合してモータ側へ移動すると共にモータ軸を挿入可能な内側軸を設け、前記内側軸のクロスフローファン側の端部にストッパーを設け、前記ストッパーが前記取付軸の端部に当接して前記内側軸のモータ側への移動を阻止してモータとモータ側端板とを所定の間隔に保持する構成とすることによって、内側軸とモータ軸との圧入を離すことができ、よってクロスフローファンの取り外し時のクロスフローファンとモータ軸を損傷することがなく、更に作業性を改善した取り付け構成を提供するものである。
【００１０】
また、請求項２記載の発明は、複数のブレードを支持する支持板と、モータ側端板と、ベアリング側端板とを有するクロスフローファンの前記モータ側端板に振動の吸収と取付のためのゴムボスと取付軸を配設し、前記取付軸に螺合して、モータ側へ移動すると共にモータ軸を挿入可能な内側軸を設け、クロスフローファン側を細くしたテーパ形状部を有するモータ軸が前記内側軸に圧入して、モータとモータ側端板とを所定の間隔に保持する構成とすることにより内側軸とモータ軸との圧入を離すことができ、よってクロスフローファンの取り外し時のクロスフローファンとモータ軸を損傷することがなく、更に作業性を改善した取り付け構成を提供するものである。
【００１１】
また、請求項３記載の発明は、内側軸に設けた固定穴に取付けた固定ネジがモータ軸のテーパ形状部にモータ軸が角錐台形状になるように設けた溝部に嵌入して、内側軸とモータ軸とを一体に回転するようにした請求項２に記載のクロスフローファンであり、モータ軸を所定の位置範囲で角錐台形状としたことにより内側軸とモータ軸が一体に回転するのみならず、クロスフローファンの取り外し時のクロスフローファンとモータ軸とを損傷することがなく、更に作業性を改善した取り付け構成を提供するものである。
【００１２】
【実施例】
以下、本発明の実施例を図１、図２および図３に基づいて説明する。
【００１３】
（実施例１）
図１において、クロスフローファン１は、複数のブレード２と、このブレード２を支持する支持板およびモータ側端板３およびベアリング側端板から構成されていて超音波溶着等の手段により軸方向に連結されている。また前記モータ側端板３には、振動の吸収と取付のためのゴムボス４と取付軸５が配設されており、前記ベアリング側端板には、前記する従来例と同様に軸が付設されている。
【００１４】
前記取付軸５の内側に更に内側軸６を設け、前記外側の取付軸５の内周と内側軸６の外周にそれぞれ螺合するネジを設ける。そして更に内側軸６にクロスフローファン側の端部にストッパー７を設けている。従って内側軸６を回すことにより、モータ軸８が内側軸６に挿入され、しかもストッパー７が、取付軸５の端部に当接して内側軸６のモータ側への移動を阻止してモータとモータ側端板３とを所定の間隔に保持することによってモータおよびモータ軸８とクロスフローファン１の位置が正確に確定でき、クロスフローファン１の取り外し時にクロスフローファン１とモータおよびモータ軸８を損傷することなく、クロスフローファン１をモータ軸８より外すことができ、取外しの作業性が良い。なお、内側軸６とモータ軸８との固定については、従来技術の図７（ａ）で示した手段など、公知の技術で可能である。
【００１５】
（実施例２）
図２において、クロスフローファン１は、複数のブレード２と、このブレード２を支持する支持板およびモータ側端板３およびベアリング側端板から構成されていて超音波溶着等の手段により軸方向に連結されている。また前記モータ側端板３には、振動吸収と取付のためのゴムボス４と取付軸５が配設されており、前記ベアリング側端板には、前記する従来例と同様に軸が付設されている。
【００１６】
前記取付軸５の内側に更に内側軸６を設け前記外側の取付軸５の内周と内側軸６の外周にそれぞれ螺合するネジを設ける。そして更に、モータのモータ軸８をクロスフローファン側を細くしたテーパ形状部８ａとしたことにより、内側軸６を回してモータ軸８の方向へ移動させる際、内側軸６はモータ軸８のテーパ形状部８ａにあたり、モータおよびモータ軸８とクロスフローファン１の位置が正確に確定でき、クロスフローファンの取り外し時にクロスフローファンとモータ軸８をこねて損傷することがなく、取外しの作業性が良い。
【００１７】
（実施例３）
図３において、クロスフローファン１は、複数のブレード２と、このブレード２を支持する支持板およびモータ側端板３およびベアリング側端板から構成されていて超音波溶着等の手段で軸方向に連結している。また前記モータ側端板３には、振動の吸収と取付のためのゴムボス４と取付軸５が配設されており、前記ベアリング側端板には、前記する従来例と同様に軸が付設されている。
【００１８】
前記取付軸５の内側に更に内側軸６を設け前記外側の取付軸５の内周と内側軸６の外周にそれぞれ螺合するネジを設ける。更に、これに対するモータのモータ軸８の位置関係において確定した位置で内側軸６に固定穴９を設け固定ネジで固定する。この際この固定ネジがモータ軸８と接触する位置に、図３のＡ−Ａ矢視図に示すように、モータ軸８が角錐台形状になるような溝部１０を設け、前記固定ネジが溝部１０に入ることで位置が正確に確定でき、しかも回転に対して固定され、安定した回転が得られ、また、クロスフローファン１の取り外し時にクロスフローファン１とモータ軸８をこねて損傷することがなく、作業性が良い。
【００１９】
【発明の効果】
以上のように本発明によれば、クロスフローファンの取り外し時にクロスフローファンとモータ軸とを何れも従来例のように斜めにしてこねる必要がなく、従ってクロスフローファンとモータ軸とを損傷をすることなく外すことができ、作業性が良い。
【図面の簡単な説明】
【図１】  本発明の実施例１におけるクロスフローファンとモータ軸との要部断面図
【図２】  本発明の実施例２におけるクロスフローファンとモータ軸との要部断面図
【図３】  本発明の実施例３におけるクロスフローファンとモータ軸との要部断面図
【図４】  空気調和機の断面図
【図５】  従来例のクロスフローファンおよびモータ部の側面図
【図６】  従来例のクロスフローファンの斜視図
【図７】  従来例のクロスフローファンの要部断面図
【符号の説明】
１  クロスフローファン
２  ブレード
３  モータ側端板
４  ゴムボス
５  取付軸
６  内側軸
７  ストッパー
８  モータ軸
８ａ  テーパ形状部
９  固定穴
１０  溝部
【図１】
0004055365.tif 000002
【図２】
0004055365.tif 000003
【図４】
0004055365.tif 000004
【図５】
0004055365.tif 000005
【図６】
0004055365.tif 000006
【図７】
0004055365.tif 000007
【図３】
0004055365.tif 000008